(57)【特許請求の範囲】
【請求項１】
それぞれ所望のチャンネル信号を選択可能な主チューナ及び副チューナと、
前記主チューナが選択したチャンネル信号の水平同期信号に対する前記副チューナが受信可能な各チャンネル信号の水平同期信号の位相差を定期的に検出してメモリに記憶する位相差検出記憶手段と、
受信状態が最も良好なチャンネル信号を前記副チューナに選択させる副チューナ選択手段と、
前記位相差検出記憶手段により予めメモリに記憶されている、前記主チューナが選択したチャンネル信号の水平同期信号に対する前記副チューナ選択手段で選択されたチャンネル信号の水平同期信号の前記位相差に基づき、前記副チューナ選択手段で選択されたチャンネル信号の水平同期信号の位相をシフトして補正する位相補正手段と、
前記主チューナが選択したチャンネル信号の受信入力レベルが所定値未満で前記副チューナで選択されたチャンネル信号の受信入力レベルが所定値を超える受信状態である水平同期信号切り換え可能状態を判定する切り換え判定手段と、
前記切り換え判定手段が前記水平同期信号切り換え可能状態と判定した場合に前記主チューナが選択したチャンネル信号の水平同期信号として前記位相補正手段で位相補正された前記副チューナ選択手段で選択されたチャンネル信号の水平同期信号を選択する同期切換手段と、
を備えることを特徴とするＴＶ受像装置。
【請求項２】
前記位相差検出記憶手段は、前記主チューナおよび副チューナが受信した各チャンネル信号の受信入力レベルが所定値未満かどうかを個別に判定するとともに、何れかの前記チャンネル信号の受信入力レベルが所定値未満である場合に前記位相差を前記メモリに記憶するのを禁止するものである請求項１記載のＴＶ受像装置。
【請求項３】
車両に搭載される請求項1又は２に記載のＴＶ受像装置。
【発明の詳細な説明】
【０００１】
【産業上の利用分野】
本発明は、弱電界下においても画像安定表示が可能なＴＶ受像装置に関する。本発明は詳しくは、車載ＴＶ受像装置に関する。
【０００２】
【従来の技術】
従来のＴＶ受像装置では、弱電界下においても水平同期信号の欠落又は偽の水平同期信号の発生などにより画像が乱れるという問題を有している。
この問題を解決する一案は、ＴＶ受像装置に極めて安定な発振器で形成されたクロックパルスをカウントすることによって、受像装置側で例えば垂直同期信号から所定時間間隔毎に水平同期信号を創出することである。
【０００３】
【発明が解決しようとする課題】
しかしながら上記した受像装置側で水平同期信号を創出するためには、極めて安定な特に温度変化に対して安定な発振器を必要とし、実現は容易ではなかった。
本発明は上記問題点に鑑みなされたものであり、受像装置側に高精度の発振器を設けることなく弱電界下でも水平同期信号の乱れを防止可能なＴＶ受像装置を提供することを、その目的としている。
【０００４】
【課題を解決するための手段】
本発明の第１の構成は、それぞれ所望のチャンネル信号を選択可能な主チューナ及び副チューナと、前記主チューナが選択したチャンネル信号の水平同期信号に対する前記副チューナが受信可能な各チャンネル信号の水平同期信号の位相差を定期的に検出してメモリに記憶する位相差検出記憶手段と、受信状態が最も良好なチャンネル信号を前記副チューナに選択させる副チューナ選択手段と、前記位相差検出記憶手段により予めメモリに記憶されている、前記主チューナが選択したチャンネル信号の水平同期信号に対する前記副チューナ選択手段で選択されたチャンネル信号の水平同期信号の前記位相差に基づき、前記副チューナ選択手段で選択されたチャンネル信号の水平同期信号の位相をシフトして補正する位相補正手段と、前記主チューナが選択したチャンネル信号の受信入力レベルが所定値未満で前記副チューナで選択されたチャンネル信号の受信入力レベルが所定値を超える受信状態である水平同期信号切り換え可能状態を判定する切り換え判定手段と、前記切り換え判定手段が前記水平同期信号切り換え可能状態と判定した場合に前記主チューナが選択したチャンネル信号の水平同期信号として前記位相補正手段で位相補正された前記副チューナ選択手段で選択されたチャンネル信号の水平同期信号を選択する同期切換手段とを備えることを特徴とするＴＶ受像装置である。
【０００５】
本発明の第２の構成は、上記第１の構成において更に、前記位相差検出記憶手段が、前記主チューナおよび副チューナが受信した各チャンネル信号の受信入力レベルが所定値未満かどうかを個別に判定するとともに、何れかの前記チャンネル信号の受信入力レベルが所定値未満である場合に前記位相差を前記メモリに記憶するのを禁止するものであることを特徴としている。
【０００６】
本発明の第３の構成は、上記第１又は第２の構成のＴＶ受像装置が車両に搭載されることを特徴としている。
【０００７】
【作用及び発明の効果】
本発明の第１の構成では、副チューナにて受信状態が最も良好であるサブチャンネル信号を選択して受信する。次に、主チューナで受信するメインチャンネル信号の受信状態が悪くしかもサブチャンネル信号の受信状態が良好な場合に、サブチャンネル信号の水平同期信号を選択し、サブチャンネル信号とメインチャンネル信号との予め記憶する位相差に基づいてサブチャンネル信号の水平同期信号の位相補正を行って、メインチャンネル信号の水平同期信号に代替して用いる。
【０００８】
このようにすれば、受像装置側に高精度の発振器を設けることなく弱電界下でも水平同期信号の乱れを防止可能なＴＶ受像装置を実現することができる。
更に、主チューナ及び副チューナにより異なるチャンネル信号を受信し、それらの水平同期信号の位相差を定期的に検出してメモリに記憶する。このようにすれば、所定期間毎に簡単に各チャンネル信号間の位相差を得ることができる。
【０００９】
本発明の第２の構成では、上記第１の構成において更に、主チューナ及び副チューナにより受信したチャンネル信号の受信入力レベルが所定値未満の場合に前記位相差の記憶を禁止する。このようにすれば、不正確な位相差を記憶することがない。
本発明の第３の構成では、上記第１又は第２の構成が車載ＴＶ受像装置に適用される。車載ＴＶ受像装置では、受信状態やチャンネル間の位相差が車両位置により変化する場合が多いので、特に有効である。
【００１０】
【実施例】
（実施例１）
以下、本発明の簡単化した構成例について図面に基づいて説明する。
図１に本実施例のＴＶ受像装置のブロック回路図を示す。
このＴＶ受像装置における信号処理を説明すると、アンテナ１から入力された受信電力はデバイダー２で電子チューナーである主チューナ３ａと副チューナ３ｂに分配される。
【００１１】
主チューナ３ａ及び副チューナ３ｂは選択周波数のチャンネル信号を同調増幅し、映像中間周波信号に変換する回路であり、主チューナ３ａから出力される信号はフィルタ４により音声中間周波信号と映像中間周波信号に分離され、音声中間周波信号は音声復調回路５で音声中間周波増幅及び音声検波された後、図示しないスピーカへ送られ、映像中間周波信号は映像復調回路６ａで映像中間周波増幅及び映像検波された後、図示しない映像表示部に送られる。
【００１２】
７ａは映像復調回路６から出力される映像検波信号から垂直同期信号及び水平同期信号（以下、主水平同期信号ともいう）を分離する同期分離回路であり、同期分離回路７ａで分離された水平同期信号は水平同期信号選択回路８及び位相差検出回路９に出力される。
一方、副チューナ３ｂから出力される信号は映像復調回路６ｂで映像中間周波増幅及び映像検波された後、同期分離回路７ｂに送られ、同期分離回路７ｂは映像検波信号から水平同期信号（以下、副水平同期信号ともいう）を抽出して位相差検出回路９及び位相差補正回路１０に出力する。位相差補正回路１０は、副水平同期信号の入力時点から後述する所定の位相差時間だけ遅延する時点にて水平同期信号を水平同期信号選択回路８へ出力する回路であり、水平同期信号選択回路８はコントローラ１２から入力される選択信号に基づいて主水平同期信号Ｍ及び副水平同期信号Ｓのどちらかを選択して上述した水平同期信号とともに映像表示部の同期制御回路（図示せず）に出力する回路である。なお、この実施例では、水平同期信号に続いて水平ブランキング期間に伝送される色同期信号については主チューナ３ａ側の信号を用いるものとする。
【００１３】
本実施例独特の回路である位相差検出回路９及び位相差補正回路１０について更に説明を行う。
位相差検出回路９は、主水平同期信号Ｍと副水平同期信号Ｓとの位相差を検出する回路であって、本実施例ではカウンタ回路で構成される。この位相差検出回路９は、主水平同期信号Ｍ（正確にはそのエッジ）の入力により上記カウンタのクリアと、その後の上記カウンタのカウント端子へのクロックパルスＣＬＯＣＫの入力許可とを行い、これによりカウントを開始する。そして、副水平同期信号Ｓの入力によりクロックパルスＣＬＯＣＫのカウンタへの入力を停止するとともに、カウンタのカウント値をコントローラ１２へ出力する。このようなカウント回路自体は周知であるのでこれ以上の説明を省略する。
【００１４】
位相差補正回路１０は、副水平同期信号Ｓのタイミングを主水平同期信号Ｍのタイミングに一致させる回路であって、本実施例ではカウンタ回路で構成される。このカウンタは、各水平走査期間内にそれぞれ１回、主水平同期信号Ｍと副水平同期信号Ｓとの位相差に相当するカウント値をコントローラ１２からロードされる。そして次の水平ブランキング期間に入って副水平同期信号Ｓ（正確にはそのエッジ）が入力すると上記ロードされたカウント値からクロックパルスＣＬＯＣＫのカウントが開始され、カウンタの各桁が全て０となると水平同期信号が水平同期信号選択回路８に出力される。このようなカウント回路自体は周知であるのでこれ以上の説明を省略する。
【００１５】
コントローラ１２はマイコンからなる。
以下、このコントローラ１２の動作を説明する。
（位相差検出動作）                                                    最初に各チャンネル間の位相差検出動作を図２のフローチャートを参照して説明する。このルーチンは定期的に実施される。
【００１６】
まず、主チューナ３ａが所望のチャンネル信号を選択している時、同期分離回路７ａから出力される水平同期信号の大きさが所定レベル未満かどうかを調べ（１０２）、未満であればメインチャンネル信号（主チューナ３ａの同調信号）が弱いとしてメインルーチン（図３）にリターンし、以上であれば充分強いものとしてステップ１０４に進む。
【００１７】
ステップ１０４では、副チューナ３ｂを上記メインチャンネル信号以外の第１の局にセットし、その後、復調回路６ｂから読み込んだＡＧＣ電圧の大きさ（又は同期分離回路７ｂから出力される副水平同期信号Ｓの大きさ）が所定レベル未満かどうかを調べ（１０６）、未満であればサブチャンネル信号（副チューナ３ｂの同調信号）が弱いとしてメインルーチン（図３）にリターンし、以上であれば充分強いものとしてステップ１０８に進む。
【００１８】
ステップ１０８では、位相差検出回路９から出力される主水平同期信号Ｍに対する副水平同期信号Ｓの位相差時間（デジタル値）をメモリし、その後、全局メモリ（書換え）したかどうかを調べ（１１０）、まだ全局のメモリを完了していなければステップ１０４に戻って次の局に対して同様の位相差メモリを行い、これにより基準局の水平同期信号に対するその他の局の水平同期信号の位相差時間を全てメモリする。
【００１９】
（位相差補正動作）                                                    次に、水平同期信号置換動作について図３のフローチャートを参照して説明する。このルーチンは主チューナ３ａが何らかのチャンネルを選択している場合に実施される。
まず、希望の局に同調されている主チューナ３ａの受信電波の強弱を、同期分離回路７ａから出力される主水平同期信号Ｍの大きさが所定レベル未満かどうかにより調べ（２００）、未満であればメインチャンネル信号（主チューナ３ａの同調信号）が弱いとしてステップ２０２に進み、以上であれば充分強いものとしてステップ２１０に進む。
【００２０】
ステップ２０２では、副チューナ３ｂを主チューナ３ａの選択局以外で受信電力が最良の局に合わせる。具体的に説明すると、主チューナ３ａの選択局以外の各局を順次選択し、それらのＡＧＣ電圧（又は副水平同期信号Ｓ）の大きさを比較し、最も大きい局に副チューナ３ｂをセットする。
次のステップ２０４では選択した副チューナ３ｂの受信電波の強弱を、復調回路６ｂから出力されるＡＧＣ電圧（又は副水平同期信号Ｓ）の大きさが所定レベル未満かどうかにより調べ、未満であればサブチャンネル信号（副チューナ３ｂの同調信号）が弱いとしてステップ２１０に進み、以上であれば充分強いものとしてステップ２０８に進む。
【００２１】
ステップ２０６では、副チューナ３ｂが同調するサブチャンネル信号の水平同期信号Ｓと主チューナ３ａが同調するメインチャンネル信号の水平同期信号Ｍとの位相差時間（デジタル値）を、コントローラ１２の内蔵メモリから読み出して位相差補正回路１０にセットし、これにより位相差補正回路１０は副水平同期信号Ｓは主水平同期信号Ｍと同一タイミングとされる。
【００２２】
次のステップ２０８では、水平同期信号選択回路８に指令して各水平ブランキング期間の水平同期信号出力期間の間だけ、位相差補正回路１０から出力される位相補正済の副水平同期信号Ｓが水平同期信号として選択させる。これにより、メインチャンネル信号の電波が弱くても水平同期が混乱することが無い。またステップ２１０では、水平同期信号選択回路８に指令して水平同期信号として主水平同期信号Ｍを選択する。
【００２３】
次に、位相差補正回路１０の一例を図４のブロック図で説明する。
１０１は約１水平走査期間の幅の１パルスを出力するモノマルチバイブレータであり、同期分離回路７ｂから副水平同期信号Ｓのエッジ（例えば立ち上がりエッジ）が入力してから約１水平走査期間の間ハイレベルをアンド回路１０２に出力し、これによりアンド回路１０２はクロックパルスＣＬＯＣＫをカウンタ１０３のカウント端子に入力することになる。また、同期分離回路７ｂから副水平同期信号Ｓのエッジ（例えば立ち上がりエッジ）はカウンタ１０３のクリア端子に入力され、これによりカウンタ１０３は上記カウントに先立ってクリアされる。
【００２４】
１０４はレジスタであり、コントローラ１２から主水平同期信号Ｍと最良の局のサブチャンネル信号の水平同期信号Ｓとの間の位相差時間（デジタル値）がセットされている。
アンド回路１０５はカウンタ１０３のカウント値とレジスタ１０４の登録値とが一致する場合にハイレベルをモノマルチバイブレータ１０６に出力し、これによりモノマルチバイブレータ１０６は位相差補正済の副水平同期信号Ｓを出力する。
【図面の簡単な説明】
【図１】本発明に係るＴＶ受像装置の一実施例を示すブロック図である。
【図２】図１のコントローラ１２の位相差検出動作を示すフローチャートである。
【図３】図１のコントローラ１２の位相差補正動作を示すフローチャートである。
【図４】図１の位相差補正回路１０の一例を示すブロック図である。
【符号の説明】
３ａは主チューナ、３ｂは副チューナ、１２はコントローラ（副チューナ選択手段、切り換え判定手段、位相差検出記憶手段の一部）、１０は位相補正手段、８は同期切換手段、９は位相差検出回路（位相差検出記憶手段の残部）。
【図１】
0003552325.tif 000002
【図２】
0003552325.tif 000003
【図３】
0003552325.tif 000004
【図４】
0003552325.tif 000005